(57)【要約】【課題】消費電力を削減すると共に、当該携帯端末の有する機能が実行されている場合に簡単な動作でディスプレイを明るくすることのできる携帯端末を提供する。【解決手段】本発明に係る携帯端末１は、ディスプレイ１２と、加速度を検出する加速度センサ１３と、アプリケーションを実行するＣＰＵ１６と、ディスプレイの輝度を制御する制御部１５と、を備え、制御部１５は、ディスプレイ１２の輝度が低く、かつ、ＣＰＵ１６によってアプリケーションが実行されている場合に、加速度センサ１３によって加速度が検出されると、ディスプレイ１２の輝度を高くする。【選択図】図１
2013172426.tif 000002
【特許請求の範囲】
【請求項１】
ディスプレイと、
加速度を検出する加速度検出手段と、
アプリケーションを実行する実行手段と、
上記ディスプレイの輝度を制御する制御手段と、を備え、
上記制御手段は、上記ディスプレイの輝度が低く、かつ、上記実行手段によってアプリケーションが実行されている場合に、上記加速度検出手段によって加速度が検出されると、上記ディスプレイの輝度を高くする、
ことを特徴とする携帯端末。
【請求項２】
上記制御手段は、さらに、上記ディスプレイの輝度が低い状態において所定の期間以上加速度検出手段によって加速度が検出されていないときに限り、上記ディスプレイの輝度を高くする、
ことを特徴とする請求項１に記載の携帯端末。
【請求項３】
上記制御手段は、さらに、上記ディスプレイが特定の方向を向いているときに限り、上記ディスプレイの輝度を高くする、
ことを特徴とする請求項１又は２に記載の携帯端末。
【請求項４】
上記特定の方向は、鉛直上方向から水平方向までの間の方向である、
ことを特徴とする請求項３に記載の携帯端末。
【請求項５】
上記ディスプレイの光源としてバックライトをさらに備え、
上記制御手段は、上記バックライトを点灯させることによって上記ディスプレイの輝度を高くする、
ことを特徴とする請求項１から４の何れか１項に記載の携帯端末。
【請求項６】
ディスプレイを備えた携帯端末の制御方法であって、
加速度を検出する加速度検出ステップと、
アプリケーションを実行する実行ステップと、
上記ディスプレイの輝度が低く、かつ、上記実行ステップにおいてアプリケーションが実行されている場合に、上記加速度検出ステップにおいて加速度が検出されると、上記ディスプレイの輝度を高くする制御ステップと、を含んでいる、
ことを特徴とする制御方法。
【請求項７】
コンピュータを請求項１から５の何れか１項に記載の携帯端末として動作させるためのプログラムであって、上記コンピュータを上記携帯端末の各手段として機能させるプログラム。
【請求項８】
請求項７に記載のプログラムを記録したコンピュータ読み取り可能な記録媒体。
【発明の詳細な説明】
【技術分野】
【０００１】
本発明は、ディスプレイの輝度を変えることのできる携帯端末、及び、そのような携帯端末の制御方法に係るものである。また、そのような携帯端末を動作させるためのプログラム、および、そのようなプログラムが記録されている記録媒体に関するものである。
【背景技術】
【０００２】
従来、携帯電話及びスマートフォンなどに代表される、ディスプレイを備えた携帯端末は、ユーザによって当該携帯端末が操作されない期間が一定期間続いた場合に、ディスプレイを消灯（例えば、ディスプレイのバックライトを消灯）することによって消費電力を抑える機能を備えている。なお、このような携帯端末は、ディスプレイの再点灯に際し、誤動作を防ぐために、当該携帯端末に備えられたボタンが押下された場合にのみディスプレイを再点灯することが一般的である。
【０００３】
しかしながら、このような携帯端末では、ユーザが、ディスプレイに所望の画面を表示させながら両手で作業をしたい場合であっても、一定期間が経過するとディスプレイが消灯されてしまい、画面を見ることができなくなってしまう。具体的には、ブラウザ等のアプリケーションを起動してレシピを表示させながら両手で料理をするような場合に、ディスプレイが消灯されてしまうと、レシピを見ることが出来なくなってしまうという問題があった。また、このような場合には、両手が塞がっているため、ディスプレイの再点灯も容易ではないという問題もある。
【０００４】
このような問題に関して、例えば、特許文献１には、表示部のバックライトの点灯期間中に振動が検出されると、バックライトの点灯期間を延長する携帯機器が開示されている。
【０００５】
特許文献２には、表示部の表示面を有する筐体の所定の面の向きを検出して、検出した向きを判断し、その結果に基づいて表示部に対する供給電流レベルを変更する携帯型端末が開示されている。
【０００６】
また、特許文献３には、内蔵された振動検知センサによって振動が検知されるとバックライトが点灯する携帯電話機、及び、腕時計が開示されている。
【先行技術文献】
【特許文献】
【０００７】
【特許文献１】特開２００３−１７９６８６号公報（２００３年６月２７日公開）
【特許文献２】特開２００６−１０１３３１号公報（２００６年４月１３日公開）
【特許文献３】特開２００４−００７３３４号公報（２００４年１月８日公開）
【発明の概要】
【発明が解決しようとする課題】
【０００８】
しかし、特許文献１に記載の技術は、バックライトの点灯期間を延長する技術であるため、点灯期間中に携帯電話に振動を加えなければならず、バックライトを消灯した場合に再点灯することについては何ら考慮されていない。
【０００９】
特許文献２に記載の技術は、表示面が下向きである場合にバックライトを消灯し、上向きになった場合にバックライトを点灯する構成であるが、表示面を下向きから上向きに変えるためには、ユーザが携帯型端末に振動を加える以外にも、携帯型端末を持ち上げたりしなければならないため、バックライトを点灯するために煩雑な動作を要していた。また、ユーザが携帯型端末で利用したい機能を実行していない場合であっても、表示画面が上向きになるだけでバックライトが点灯されてしまい、無駄に電力を消費してしまうという問題があった。
【００１０】
また、特許文献３に記載の技術は、バックライトが日常生活における通常の振動（持ち運んだりする場合の振動）で点灯しないように点灯感度の強弱を設定するため、バックライトを点灯させるためにはある一定の振力以上の振動を加えなければならず、簡単な動作でバックライトを点灯させることができないという問題があった。
【００１１】
本発明は、上記の課題を解決するためになされたものであり、その目的は、消費電力を削減すると共に、当該携帯端末の有する機能が実行されている場合に簡単な動作でディスプレイを明るくすることのできる携帯端末を提供することにある。
【課題を解決するための手段】
【００１２】
本発明に係る携帯端末は、上記の課題を解決するために、ディスプレイと、加速度を検出する加速度検出手段と、アプリケーションを実行する実行手段と、上記ディスプレイの輝度を制御する制御手段と、を備え、上記制御手段は、上記ディスプレイの輝度が低く、かつ、上記実行手段によってアプリケーションが実行されている場合に、上記加速度検出手段によって加速度が検出されると、上記ディスプレイの輝度を高くする、ことを特徴としている。
【００１３】
本発明に係る携帯端末の制御方法は、上記の課題を解決するために、ディスプレイを備えた携帯端末の制御方法であって、加速度を検出する加速度検出ステップと、アプリケーションを実行する実行ステップと、上記ディスプレイの輝度が低く、かつ、上記実行ステップにおいてアプリケーションが実行されている場合に、上記加速度検出ステップにおいて加速度が検出されると、上記ディスプレイの輝度を高くする制御ステップと、を含んでいる、ことを特徴としている。
【００１４】
上記の構成によれば、上記携帯端末は、ユーザが利用したいアプリケーション（機能）が実行されている場合であって、当該携帯端末に振動が加えられた（加速度が検出された）場合にディスプレイの輝度を高くする。つまり、上記携帯端末は、ユーザが利用したいアプリケーションが実行されていない場合には、振動が加えられてもディスプレイの輝度を高くしない。これによって、上記携帯端末は、ユーザが意図していないタイミングでディスプレイの輝度が高くなってしまうことを防ぎ、消費電力を削減することができる。
【００１５】
また、ユーザは、上記携帯端末において利用したい機能を実行している場合に、当該携帯端末に振動を加えるという簡単な動作を行うことによって、一度輝度の低くなったディスプレイの輝度を再び高くさせ、ディスプレイを明るくすることができる。
【００１６】
本発明に係る携帯端末において、上記制御手段は、さらに、上記ディスプレイの輝度が低い状態において所定の期間以上加速度検出手段によって加速度が検出されていないときに限り、上記ディスプレイの輝度を高くする、ことが好ましい。
【００１７】
上記の構成によれば、上記携帯端末は、ディスプレイの輝度を低くした時点から所定の期間が経過する前に加速度検出手段によって加速度が検出された場合には、ディスプレイの輝度を高くしない。これによって、上記携帯端末は、ユーザが意図していないタイミング（例えば、当該携帯端末が持ち運ばれている場合など）でディスプレイの輝度が高くなってしまうことを防ぎ、消費電力をより削減することができる。
【００１８】
本発明に係る携帯端末において、上記制御手段は、さらに、上記ディスプレイが特定の方向を向いているときに限り、上記ディスプレイの輝度を高くする、ことが好ましい。
【００１９】
上記の構成によれば、上記携帯端末は、上記ディスプレイの向きが特定の方向以外の方向を向いている場合、上記ディスプレイの輝度を高くしない。これによって、携帯端末１は、ユーザが意図していないタイミング（例えば、ユーザが、上記ディスプレイをユーザの視線方向に向けていない場合など）でディスプレイの輝度が高くなってしまうことを防ぎ、消費電力をより削減することができる。
【００２０】
本発明に係る携帯端末において、上記特定の方向は、鉛直上方向から水平方向までの間の方向である、ことが好ましい。
【００２１】
上記の構成によれば、上記携帯端末は、ユーザが上記ディスプレイをユーザの視線方向に向けている可能性の高い、上記ディスプレイが鉛直上方向から水平方向までの間の方向を向いている場合に、ディスプレイの輝度を高くすることができる。
【００２２】
本発明に係る携帯端末は、上記ディスプレイの光源としてバックライトをさらに備え、上記制御手段は、上記バックライトを点灯させることによって上記ディスプレイの輝度を高くする、ことが好ましい。
【００２３】
上記の構成によれば、上記携帯端末は、上記バックライトを点灯させることによって、上記ディスプレイの輝度を高くすることができる。
【００２４】
また、コンピュータを本発明に係る携帯端末として動作させるためのプログラムであって、上記コンピュータを上記携帯端末の各手段として機能させることを特徴とするプログラム、及び、これらのプログラムのうち少なくとも何れかを記録したコンピュータ読み取り可能な記録媒体も本発明の範疇に含まれる。
【００２５】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【発明の効果】
【００２６】
本発明に係る携帯端末は、上述のように、ディスプレイと、加速度を検出する加速度検出手段と、アプリケーションを実行する実行手段と、上記ディスプレイの輝度を制御する制御手段と、を備え、上記制御手段は、上記ディスプレイの輝度が低く、かつ、上記実行手段によってアプリケーションが実行されているとき、上記加速度検出手段によって加速度が検出された場合に、上記ディスプレイの輝度を高くする、ことを特徴としている。
【００２７】
また、本発明に係る携帯端末の制御方法は、上述のように、ディスプレイを備えた携帯端末の制御方法であって、加速度を検出する加速度検出ステップと、アプリケーションを実行する実行ステップと、上記ディスプレイの輝度が低く、かつ、上記実行ステップにおいてアプリケーションが実行されているとき、上記加速度検出ステップにおいて加速度が検出された場合に、上記ディスプレイの輝度を高くする制御ステップと、を含んでいる、ことを特徴としている。
【００２８】
これによって、携帯端末は、消費電力を削減すると共に、当該携帯端末の有する機能が実行されている場合に簡単な動作でディスプレイを明るくすることができる。
【図面の簡単な説明】
【００２９】
【図１】本発明の一実施形態に係る携帯端末の構成の概略を示すブロック図である。
【図２】本発明の一実施形態に係る携帯端末における点灯処理の流れを示すフローチャートである。
【図３】本発明の一実施形態に係る携帯端末の概観を示す図である。
【発明を実施するための形態】
【００３０】
本発明に係る携帯端末の一実施形態について、図１から図３を参照して説明する。但し、この実施形態に記載されている構成は、特に限定的な記載がない限り、この発明の範囲をそれのみに限定する趣旨ではなく、単なる説明例に過ぎない。
【００３１】
〔携帯端末の構成〕
本実施形態に係る携帯端末の構成について、図１を参照して説明する。図１は、本実施形態に係る携帯端末１の構成の概略を示すブロック図である。
【００３２】
図１に示すように、携帯端末１は、入力部１１、ディスプレイ１２、加速度センサ（加速度検出手段）１３、タイマー１４、及び、制御部（制御手段）１５を備えている。
【００３３】
（入力部）
入力部１１は、ユーザの様々な操作（ユーザ操作）を受け付ける手段である。入力部１１としては、例えば、数字及び文字などを入力するテンキーなどに代表される操作ボタンを挙げることができる。
【００３４】
（ディスプレイ）
ディスプレイ１２は、画像及び文字などを表示することでユーザに提示する。また、ディスプレイ１２は、制御部１５によって実行されるアプリケーションの内容を示す画面を表示する。なお、アプリケーションの実行については後述する。
【００３５】
なお、本実施形態では、ディスプレイ１２が液晶ディスプレイ（ＬＣＤ：Liquid Crystal Display）であり、バックライト（不図示）を備えている場合を例に挙げて説明するが、本発明はこれに限定されるものではない。例えば、ディスプレイ１２がＥＬ（Electro Luminescence）ディスプレイであり、ＥＬディスプレイの備える発光層が自発光する（つまり、バックライトを備えていない）構成を採用してもよい。
【００３６】
ディスプレイ１２の備えるバックライトの点灯、及び消灯は、制御部１５によって制御される。
【００３７】
（加速度センサ）
加速度センサ１３は、携帯端末１の加速度を検出する手段である。また、加速度センサ１３は、重力加速度を検出することによって、携帯端末１の傾きを検出する。
【００３８】
加速度センサ１３は、例えば、ディスプレイ１２に設けられることにより、ディスプレイ１２の傾きを検出することができる。加速度センサ１３によって検出されるディスプレイ１２の傾きは、例えば、鉛直上方向とディスプレイ１２の向いている方向との成す角で表されればよい。
【００３９】
（タイマー）
タイマー１４は、所定の期間を計測し、当該所定の期間が経過した旨を示すタイマー信号を制御部１５に供給する。なお、タイマー１４において計測される所定の期間の長さは制御部１５によって決定されればよい。
【００４０】
（制御部）
制御部１５は、図１に示すように、ＣＰＵ（central processing unit）（実行手段）１６、ＲＯＭ（Read Only Memory）１７、及び、ＲＡＭ（Random Access Memory）１８を備えている。
【００４１】
制御部１５は、ＣＰＵ１６によって、ＲＯＭ１７及びＲＡＭ１８に格納されたプログラムを実行することにより、携帯端末１の各部の動作を制御する。具体的には、制御部１５は、ディスプレイ１２の備えるバックライトの点灯及び消灯、及び、タイマー１４によって計測される期間の長さを決定する。
【００４２】
また、制御部１５は、一定期間以上ユーザ操作がされない場合、すなわち、入力部１１において一定期間以上ユーザ操作が受け付けられない場合、ディスプレイ１２の備えるバックライトを消灯する。
【００４３】
ＲＯＭ１７には、図１に示すように、オペレーティングシステム（ＯＳ：Operating System）１７１、及び、アプリケーション（Application）１７２が格納されている。アプリケーション１７２としては、例えば、インターネットのウェブページを観覧するためのアプリケーション（いわゆる、ウェブブラウザ、フルブラウザ）などを挙げることができる。制御部１５は、例えば、ＣＰＵ１６によってウェブページを観覧するためのアプリケーション１７２を実行することにより、携帯端末１を用いてウェブページを観覧可能する。
【００４４】
また、アプリケーション１７２の他の例として、メールを作成するためのアプリケーション、及び、キッチンタイマーなどのタイマー機能を実行させるアプリケーションなどを挙げることもできる。
【００４５】
なお、本実施形態において、「アプリケーションを実行している」状態は、起動しているアプリケーションの内容を示す画面がディスプレイ１２に表示されている状態に限られない。例えば、マルチタスクのように、アプリケーションは起動しているものの、ディスプレイ１２にその内容を示す画面以外の画面が表示されていている状態（いわゆる、アプリケーションがバックグラウンドで起動している状態）であってもよい。
【００４６】
〔点灯処理〕
次に、本実施形態に係るディスプレイ１２の備えるバックライトの点灯処理について、図２を参照して説明する。図２は、本実施形態に係る携帯端末１における点灯処理の流れを示すフローチャートである。
【００４７】
図２に示すように、本実施形態に係る制御部１５は、まず、ディスプレイ１２のバックライトが消灯されると、加速度センサ１３による加速度の検出を開始する（ステップＳ１０１）。
【００４８】
制御部１５は、加速度センサ１３による加速度の検出を開始した時点から所定の期間が経過するまでの間に、加速度が検出されるか否かを判定する（ステップＳ１０２）。なお、制御部１５による所定の期間が経過したか否かの判定は、タイマー１４からタイマー信号を取得したか否かによって判定すればよい。つまり、制御部１５は、タイマー１４からタイマー信号を取得する前に加速度が検出されたか否かによって、ステップＳ１０２の判定を行えばよい。
【００４９】
制御部１５は、加速度の検出を開始した時点から所定の期間が経過するまでの間に、加速度センサ１３によって加速度が検出されない場合（ステップＳ１０２においてＮＯ）、加速度センサ１３によって検出されたディスプレイ１２の傾きに基づき、ディスプレイ１２が特定範囲の方向を向いているか否かを判定する（ステップＳ１０３）。ここで、特定範囲の方向とは、例えば、鉛直上向きから水平までの間の方向のことを指すが、これは本実施形態を限定するものではなく、ユーザの利便性を鑑みて、好適な範囲を設定しておけばよい。
【００５０】
ディスプレイ１２が特定の方向を向いていると判定した場合（ステップＳ１０３においてＹＥＳ）、制御部１５は、ＣＰＵ１６によってアプリケーション１７２が実行されているか否かを判定する（ステップＳ１０４）。
【００５１】
アプリケーション１７２が実行されていると判定した場合（ステップＳ１０４においてＹＥＳ）、制御部１５は、再び、加速度センサ１３によって加速度が検出されるか否かを判定する（ステップＳ１０５）。
【００５２】
加速度センサ１３によって加速度が検出されると（ステップＳ１０５においてＹＥＳ）、制御部１５は、ディスプレイ１２の備えるバックライトを点灯させる。このようにして、本実施形態に係る携帯端末１において、ディスプレイ１２の備えるバックライトの点灯処理が行われる。
【００５３】
また、加速度センサ１３によって加速度が検出されない場合（ステップＳ１０５においてＮＯ）、制御部１５は、加速度が検出されるまで、ステップＳ１０５における判定を繰り返す。
【００５４】
なお、加速度の検出を開始した時点から所定の期間が経過するまでの間に、加速度センサ１３によって加速度が検出された場合（ステップＳ１０２においてＹＥＳ）、制御部１５は、再び加速度センサ１３による加速度の検出を開始する。つまり、制御部１５は、ステップＳ１０２において、加速度の検出を開始した時点から所定の期間が経過するまでの間に加速度センサ１３によって加速度が検出されなくなるまで、ステップＳ１０１〜Ｓ１０２の動作を繰り返すことになる。
【００５５】
これによれば、制御部１５は、ディスプレイ１２の備えるバックライトを消灯した時点から所定の期間が経過する前に加速度センサ１３によって加速度が検出された場合には、バックライトを点灯しない。これは、バックライトを消灯した時点から所定の期間が経過する前に加速度センサ１３によって加速度が検出された場合、当該携帯端末１がユーザによって持ち運ばれている可能性が高いためである。これによって、携帯端末１は、ユーザが意図していないタイミングでバックライトが点灯してしまうことを防ぎ、消費電力を削減することができる。
【００５６】
また、ディスプレイ１２が特定の方向を向いていないと判定した場合（ステップＳ１０３においてＮＯ）、制御部１５は、再び加速度センサ１３による加速度の検出を開始する。つまり、制御部１５は、ステップＳ１０３において、ディスプレイ１２の向きが上向きであると判定するまで、ステップＳ１０１〜１０３の動作を繰り返すことになる。
【００５７】
これによれば、制御部１５は、ディスプレイ１２の向きが特定の方向以外の方向を向いている場合、バックライトを点灯しない。これは、ディスプレイ１２の向きが鉛直上方向から水平方向までの間の方向以外を向いている場合、ユーザがディスプレイ１２を見ていない可能性が高いためである。これによって、携帯端末１は、ユーザが意図していないタイミング（例えば、ユーザが、ディスプレイ１２をユーザの視線方向に向けていない場合など）でバックライトが点灯してしまうことを防ぎ、消費電力を削減することができる。
【００５８】
また、アプリケーション１７２が実行されていないと判定した場合（ステップＳ１０４においてＮＯ）、制御部１５は、再び加速度センサ１３による加速度の検出を開始する。
つまり、制御部１５は、ステップＳ１０４において、アプリケーション１７２が実行されていると判定されるまで、ステップＳ１０１〜１０４の動作を繰り返すことになる。
【００５９】
これによれば、制御部１５は、アプリケーション１７２が実行されていない場合には、バックライトを点灯しない。これは、アプリケーション１７２が実行されていない場合、ユーザが利用したい機能が実行されていない可能性が高いためである。これによって、携帯端末１は、ユーザが意図していないタイミングでバックライトが点灯してしまうことを防ぎ、消費電力を削減することができる。
【００６０】
上述の構成によれば、本実施形態に係る携帯端末１は、ディスプレイ１２の備えるバックライトを消灯した後に、（１）所定の期間以上加速度が検出されず（ステップＳ１０２においてＮＯ）、（２）ディスプレイ１２が特定の方向を向いており（ステップＳ１０３においてＹＥＳ）、かつ（３）アプリケーション１７２が実行されている（ステップＳ１０４においてＹＥＳ）とき、さらに加速度センサ１３によって加速度が検出された場合に、バックライトを再び点灯する。
【００６１】
また、本実施形態に係る携帯端末１は、制御部１５によって上記（１）を満たすか否かを判定することにより、当該携帯端末１が、静止している（例えば机などの上に置かれている）状態であるか、静止していない状態（例えば持ち運ばれているため）であるかを判定することができる。また、上記（２）を満たすか否かを判定することにより、ディスプレイ１２をユーザが見ることができる状態であるか（ディスプレイ１がユーザの方向を向いているか）否かを判定することができる。さらに、（３）を満たすか否かを判定することにより、ユーザが利用したい機能（アプリケーション）が実行されているか（起動しているか）否かを判定することができる。
【００６２】
これによって、携帯端末１は、ユーザが当該携帯端末１を利用しようとしているか否かを判定することができるため、ユーザが意図していないタイミングでバックライトが点灯してしまうことを防ぎ、消費電力を削減することができる。
【００６３】
したがって、ユーザは、携帯端末１を例えば机の上に置いたまま、利用したい機能の内容を示す画面を見たい場合に、携帯端末１に振動を加えるという簡単な動作によって、一度消灯されたバックライトを再び点灯させ、ディスプレイ１２の輝度を明るくすることができる。
【００６４】
なお、所定の期間が長くなるほど、バックライトの再点灯までに要する期間が長くなるため、当該所定の期間は、長く設定し過ぎないことが好ましい。このことから、所定の期間の長さは、例えば、０．５秒〜３秒程度に設定されることが好ましいが、本発明はこれに限定されるものではない。例えば、ユーザが、所定の期間を任意に設定可能な構成を採用してもよい。
【００６５】
（ディスプレイの向き）
ここで、加速度センサ１３によって検出されるディスプレイ１２の傾きについて、図３を参照して説明する。図３は、本実施形態に係る携帯端末１の概観を示す図である。図３（ａ）は、携帯端末１がスマートフォンに代表されるような携帯端末である場合の概観を示し、（ｂ）携帯端末１が折り畳み式の携帯電話に代表されるような携帯端末である場合の観念を示している。
【００６６】
なお、加速度センサ１３によって検出されるディスプレイ１２の傾きは、上述したように、例えば、鉛直上方向と、ディスプレイ１２の向いている方向との成す角で表されればよい。
【００６７】
携帯端末１が、例えば図３（ａ）に示すようま携帯端末であるとき、机にディスプレイ１２が見えるように置かれている場合には、ディスプレイ１２は鉛直上方向を向いていることから、ディスプレイ１２の傾きは０°である。また、壁に沿うようにして立て掛けられている場合には、ディスプレイ１２は水平方向を向いていることから、ディスプレイ１２の傾きは９０°である。
【００６８】
携帯端末１が、例えば図３（ｂ）に示すような携帯端末であるとき、折り畳みが完全に開かれた状態でディスプレイ１２が見えるように机などに置かれた場合には、ディスプレイ１２は鉛直上方向を向いていることから、ディスプレイ１２の傾きは０°である。また、ディスプレイ１２の設けられている第１筐体と入力部１１の設けられている第２筐体とが直角となるように開いた状態で机などに置かれた場合には、ディスプレイ１２は水平方向を向いていることから、ディスプレイ１２の傾きは９０°である。
【００６９】
つまり、ディスプレイ１２の方向が上述した「特定範囲の方向」であると判定されるためのディスプレイ１２の傾きは、本実施形態においては、０°〜９０°であればよい。
【００７０】
なお、携帯端末１が、例えば図３（ｂ）に示すような携帯端末であるとき、第１筐体と第２筐体との開き具合を容易に変えることができるため、ディスプレイ１２の傾きをよりユーザが見やすい傾きにすることができる。
【００７１】
もちろん、ユーザの目の高さよりも高い位置に携帯端末１を置く場合には、ディスプレイ１２は水平方向よりも下を向いていればよい。この場合には、ディスプレイ１２の傾きは９０°よりも大きな値となる。
【００７２】
なお、本実施形態では、上述した（１）〜（３）の全てが満たされる場合にバックライトを再び点灯させることのできる構成を例に挙げて説明しがた、本発明はこれに限定されるものではない。
【００７３】
例えば、本発明に係る携帯端末１は、少なくとも上述した（３）が満たされている場合に加速度センサ１３によって加速度が検出されたとき、バックライトを再び点灯させる構成であればよい。この場合には、携帯端末１は、図２に示す、ステップＳ１０１〜Ｓ１０３の動作を省略した点灯処理を実行すればよい。
【００７４】
これによって、ユーザは、携帯端末１において利用したい機能を実行している場合に、当該携帯端末１に振動を加えるという簡単な動作によって、一度消灯されたバックライトを再び点灯させ、ディスプレイ１２の輝度を明るくすることができる。
【００７５】
なお、本実施形態では、携帯端末１が入力部１１を備えている場合を例に挙げて説明したが、本発明はこれに限定されるものではない。例えば、入力部１１の代わりに、ディスプレイ１２に重なるようにタッチパネルを備えており、ユーザ操作をタッチパネルによって受け付ける構成を採用してもよい。
【００７６】
また、本実施形態では、ディスプレイ１２の備えるバックライトを消灯した時点から、上記（１）〜（３）が満たされるまでずっと加速度センサ１３が加速度の検出を行っている場合を例に挙げて説明したが、本発明はこれに限定されるものではない。例えば、ディスプレイ１２の備えるバックライトを消灯した時点から一定期間が経過した時点で一時的に加速度センサ１３への電力の供給を停止（すなわち、加速度センサ１３による加速度の検出を停止）することによって、消費電力を削減する構成を採用してもよい。
【００７７】
なお、本実施形態に係る携帯端末１では、加速度センサ１３によって加速度が検出された場合にバックライトを点灯する場合を例に挙げて説明したが、検出された加速度が予め定められた閾値よりも大きい場合にバックライトを点灯する構成を採用してもよい。
【００７８】
〔プログラム、記録媒体〕
制御部１５は、集積回路（ＩＣチップ）上に形成された論理回路によってハードウェア的に実現してもよいし、ＣＰＵ（Central Processing Unit）を用いてソフトウェア的に実現してもよい。
【００７９】
後者の場合、制御部１５は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである制御部１５の制御プログラムのプログラムコード（実行形式プログラム、中間コードプログラム、ソースプログラム）をコンピュータで読み取り可能に記録した記録媒体を、制御部１５に供給し、そのコンピュータ（またはＣＰＵやＭＰＵ）が記録媒体に記録されているプログラムコードを読み出し実行することによっても、達成可能である。
【００８０】
上記記録媒体としては、例えば、ハードディスク等の磁気ディスクやＣＤ−ＲＯＭ／ＣＤ−Ｒ／ＣＤ−ＲＷ／ＭＯ／ＤＶＤ−ＲＯＭ／ＤＶＤ−Ｒ／ＤＶＤ−ＲＷ／Ｂｌｕ−ｒａｙディスク（ＢＤ）−ＲＯＭ／ＢＤ−Ｒ／ＢＤ−ＲＥ等の光ディスクを含むディスク類、ＩＣカード（メモリカードを含む）／光カード等のカード類、マスクＲＯＭ／ＥＰＲＯＭ／ＥＥＰＲＯＭ／フラッシュメモリ等の半導体メモリ類などを用いることができる。
【００８１】
また、上記プログラムコードは、通信ネットワークを介して制御部１５に供給してもよい。この通信ネットワークは、プログラムコードを伝送可能であればよく、特に限定されない。例えば、インターネット、ＬＡＮ、ＣＡＴＶ通信網、電話回線網、移動体通信網等が利用可能である。また、この通信ネットワークを構成する伝送媒体も、特定の構成または種類のものに限定されない。例えば、電話線、ＬＡＮケーブル、ケーブルＴＶ回線等のメタルケーブルや、ＦＴＴＨ等の光ファイバを利用した有線でも、携帯電話回線、ＷＬＡＮ等の電波、ＩｒＤＡやリモコンのような赤外線などを利用した無線でも利用可能である。
【００８２】
本発明は上述した実施形態に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【００８３】
本発明は、スマートフォン、携帯電話、ＰＤＡ、及び、タブレット型ＰＣなど、携帯可能な機器に好適に利用することができる。
【符号の説明】
【００８４】
１        携帯端末
１１      入力部
１２      ディスプレイ
１３      加速度センサ（加速度検出手段）
１４      タイマー
１５      制御部（制御手段）
１６      ＣＰＵ（実行手段）
１７      ＲＯＭ
１８      ＲＡＭ
１７１    オペレーティングシステム
１７２    アプリケーション
【図１】
2013172426.tif 000003
【図２】
2013172426.tif 000004
【図３】
2013172426.tif 000005